(57)【要約】【課題】本発明は、極めて商品価値の高い画期的な滑走用のソリを提供することを目的とする。【解決手段】下面部に滑走部２を有するソリ本体１の上面部に腰掛け部４を設けた滑走用のソリであって、前記腰掛け部４よりも前方位置に前記ソリ本体１の長さ方向に対する左右方向に捩れ動する捩れ可動部10を前記ソリ本体１に設けたものである。【選択図】図１
2008296761.tif 000002
【特許請求の範囲】
【請求項１】
下面部に滑走部を有するソリ本体の上面部に腰掛け部を設けた滑走用のソリであって、前記腰掛け部よりも前方位置に前記ソリ本体の長さ方向に対する左右方向に捩れ動する捩れ可動部を前記ソリ本体に設けたことを特徴とする滑走用のソリ。
【請求項２】
下面部に滑走部を有するソリ本体の上面部に腰掛け部を設けた滑走用のソリであって、前記滑走部の左右側縁部に内方へ向けて凹湾曲するカービングエッジを設け、前記腰掛け部よりも前方位置に前記ソリ本体の長さ方向に対する左右方向に捩れ動する捩れ可動部を前記ソリ本体に設けたことを特徴とする滑走用のソリ。
【請求項３】
前記ソリ本体の部位によって巾が異なる形状設定により前記ソリ本体の長さ方向に対する左右方向に捩れ動し易い部位を設けて前記捩れ可動部を構成したことを特徴とする請求項１，２のいずれか１項に記載の滑走用のソリ。
【請求項４】
前記ソリ本体における前記腰掛け部よりも前方部位が巾広となる形状設定により前記ソリ本体の長さ方向に対する左右方向に捩れ動し易い部位を設けて前記捩れ可動部を構成したことを特徴とする請求項３記載の滑走用のソリ。
【請求項５】
前記腰掛け部に腰掛けた滑走者が前記腰掛け部よりも前方位置にして前記ソリ本体の左右側縁部を交互に上下方向に押引操作した際、前記ソリ本体の長さ方向に対する左右方向に捩れ動するように前記捩れ可動部を構成したことを特徴とする請求項１〜４のいずれか１項に記載の滑走用のソリ。
【請求項６】
前記ソリ本体の左右側縁部の上面部に突設した握持部を交互に上下方向に押引操作することで前記捩れ可動部が捩れ動するように構成したことを特徴とする請求項５記載の滑走用のソリ。
【請求項７】
前記ソリ本体を適宜な合成樹脂製の部材で構成したことを特徴とする請求項１〜６のいずれか１項に記載の滑走用のソリ。
【請求項８】
前記腰掛け部は前記滑走部の左右側縁部に設けられるエッジ同士の間位置に設けられていることを特徴とする請求項１〜７のいずれか１項に記載の滑走用のソリ。
【発明の詳細な説明】
【技術分野】
【０００１】
本発明は、斜面を滑走する為の滑走用のソリに関するものである。
【背景技術】
【０００２】
従来から、スキーやスノーボードと同様に、雪の斜面（被滑走面）を滑走するための遊技具の一つとしてソリが提案されている。
【０００３】
このソリは、スキーやスノーボードと異なり、もっぱら直滑降をして楽しむのが一般的である。荷重の変化により大きな弧を描いて曲がることは可能であるが、スキーやスノーボードのように滑走者が曲げ操作（ターン操作）しているという操作感（楽しさ）はほとんどない。
【０００４】
そこで、従来においても、このソリに関して、滑走者が曲げ操作を行えるようにすべく種々の構造が提案されており、例えば実用新案登録第３０９７５６１号に開示されるソリが提案されている（以下、従来例という。）。
【０００５】
この従来例は、ソリ底面と左右のソリ側面との接線（稜線）にサイドカーブを形成したものであり、この従来例の滑走部に設けたサイドカーブは、スキーやスノーボードのエッジ構造と同様であり、理論上、この左右いずれか一方のサイドカーブにおける雪面に対する当接量を多くして該サイドカーブを雪面に滑走させれば、この当接量の多いサイドカーブが基点となって該サイドカーブ側への曲がり作用が生じることになる。これがスキーやスノーボードで言うエッジング操作である。
【０００６】
【特許文献１】実用新案登録第３０９７５６１号公報
【発明の開示】
【発明が解決しようとする課題】
【０００７】
ところが、実際に従来例について試してみたところ、その構造上、左右のサイドカーブにおける雪面に対する当接量に差を生じさせることは極めて困難であり、良好な曲がり操作が行えないのが現状である。
【０００８】
即ち、従来例で曲がり操作を行おうとする場合、従来例の上面部に腰を降ろした滑走者は、曲がりたい方向に体全体を傾けて一方のサイドカーブにおける雪面に対する当接量を多くする（他方のサイドカーブは浮かせる）、という重心が大きく傾く操作になる為、うまくバランスが取れずに転倒してしまい、よって、従来例で曲がり操作を行うことは極めて困難である（スキーやスノーボードは、膝や腰などの関節を曲げてバランスを取りながらエッジングをすることができる為、曲がり操作は容易に行える。）。
【０００９】
本発明者は、上述した問題点に鑑み、種々の実験・研究を繰り返し行った結果、極めて商品価値の高い画期的な滑走用のソリを開発した。
【課題を解決するための手段】
【００１０】
添付図面を参照して本発明の要旨を説明する。
【００１１】
下面部に滑走部２を有するソリ本体１の上面部に腰掛け部４を設けた滑走用のソリであって、前記腰掛け部４よりも前方位置に前記ソリ本体１の長さ方向に対する左右方向に捩れ動する捩れ可動部10を前記ソリ本体１に設けたことを特徴とする滑走用のソリに係るものである。
【００１２】
また、下面部に滑走部２を有するソリ本体１の上面部に腰掛け部４を設けた滑走用のソリであって、前記滑走部２の左右側縁部に内方へ向けて凹湾曲するカービングエッジ５，６を設け、前記腰掛け部４よりも前方位置に前記ソリ本体１の長さ方向に対する左右方向に捩れ動する捩れ可動部10を前記ソリ本体１に設けたことを特徴とする滑走用のソリに係るものである。
【００１３】
また、前記ソリ本体１の部位によって巾が異なる形状設定により前記ソリ本体１の長さ方向に対する左右方向に捩れ動し易い部位を設けて前記捩れ可動部10を構成したことを特徴とする請求項１，２のいずれか１項に記載の滑走用のソリに係るものである。
【００１４】
また、前記ソリ本体１における前記腰掛け部４よりも前方部位が巾広となる形状設定により前記ソリ本体１の長さ方向に対する左右方向に捩れ動し易い部位を設けて前記捩れ可動部10を構成したことを特徴とする請求項３記載の滑走用のソリに係るものである。
【００１５】
また、前記腰掛け部４に腰掛けた滑走者が前記腰掛け部４よりも前方位置にして前記ソリ本体１の左右側縁部を交互に上下方向に押引操作した際、前記ソリ本体１の長さ方向に対する左右方向に捩れ動するように前記捩れ可動部10を構成したことを特徴とする請求項１〜４のいずれか１項に記載の滑走用のソリに係るものである。
【００１６】
また、前記ソリ本体１の左右側縁部の上面部に突設した握持部７，８を交互に上下方向に押引操作することで前記捩れ可動部10が捩れ動するように構成したことを特徴とする請求項５記載の滑走用のソリに係るものである。
【００１７】
また、前記ソリ本体１を適宜な合成樹脂製の部材で構成したことを特徴とする請求項１〜６のいずれか１項に記載の滑走用のソリに係るものである。
【００１８】
また、前記腰掛け部４は前記滑走部２の左右側縁部に設けられるエッジ５，６同士の間位置に設けられていることを特徴とする請求項１〜７のいずれか１項に記載の滑走用のソリに係るものである。
【発明の効果】
【００１９】
本発明は上述のように構成したから、前述した従来例と異なり、転倒しにくく左右方向に良好な曲がり操作が行えることになるなど極めて商品価値の高い画期的な滑走用のソリとなる。
【発明を実施するための最良の形態】
【００２０】
好適と考える本発明の実施形態を、図面に基づいて簡単に説明する。
【００２１】
滑走者は、ソリ本体１の上面部に設けた腰掛け部４に腰掛け、例えば被滑走面Ｓとしての雪面を滑走する。
【００２２】
ところで、本発明は、腰掛け部４よりも前方位置にソリ本体１の長さ方向に対する左右方向に捩れ動する捩れ可動部10をソリ本体１に設けており、雪面を滑走中にソリ本体１に設けた捩れ可動部10を捩れ動させると、例えば左右のエッジ５，６夫々における被滑走面Ｓに対する当接量（荷重量）に差が生じ、この当接量の多いエッジ側への曲がり作用が生じることになる。
【００２３】
また、本発明は、腰掛け部４よりも前方位置のソリ本体１（捩れ可動部10）の捩れ動を利用して曲がり操作を行う構成である為、曲がり操作を行ったとしても、滑走者の重心は大きく傾くことは無いから（左右方向に大きく傾倒しないバランスの取り易い状態が維持されることになるから）、前述した従来例のようなバランスを崩して転倒してしまうことが可及的に防止されることになる。
【００２４】
以上から、前述した従来例と異なり、バランスを崩して転倒してしまうことはなく、滑走者が望む良好な曲がり操作が簡易且つ確実に行えることになる。
【実施例】
【００２５】
本発明の具体的な本実施例について図面に基づいて説明する。
【００２６】
本実施例は、下面部に滑走部２を有するソリ本体１の上面部に腰掛け部４を設けた滑走用のソリである。尚、本実施例では、被滑走面Ｓとしての雪面Ｓを滑走する構造としたが、例えば氷面や土面などに対応するように構成しても良いなど、本実施例の特性を発揮する構成であれば適宜採用し得るものである。
【００２７】
具体的には、ソリ本体１は、図１，２に図示したように適宜な合成樹脂製の部材を一体成形した容状体であり、底板部１ａと、この底板部１ａの周囲に立ち上がり傾斜形成される周板部１ｂ，１ｃ，１ｄ，１ｅとで構成されている。
【００２８】
底板部１ａは、図１，３に図示したように上面部前方位置に複数の凸条３ａを並設して成る足載せ部３が設けられ、更に、上面部後方位置に平坦状の腰掛け部４が突設されている。
【００２９】
また、底板部１ａは、図２，４に図示したように下面部が滑走部２に設定されており、この滑走部２の前方位置には反り上がり部２ａが設けられ、更に、この反り上がり部２ａから後方にかけての中央位置には、滑走部２の長さ方向には凹条２ｂが形成されている。
【００３０】
この凹条２ｂはソリ本体１の直進安定性を向上する機能を発揮すると共に、ソリ本体１を補強する補強リブとしての機能を発揮する。
【００３１】
また、滑走部２（底板部１ａ）の左右側縁部にして左右周板部１ｃ，１ｄとの連設部位には、内方へ向けて凹湾曲するエッジ５，６（カービングエッジ）が設けられている。
【００３２】
このカービングエッジ５，６は、図４に図示したように滑走部２の前縁部から後縁部までの間を大きく湾曲形成されており、本実施例では、このカービングエッジ５，６の横断面形状を図５に図示したような角型形状にしているが、図６や図７に図示したような凸条を有する形状にしても良い。
【００３３】
また、このカービングエッジ５，６同士の間位置に前記腰掛け部４が配されるように構成されている。
【００３４】
従って、この腰掛け部４に滑走者が腰を掛けて滑走することになるから、常に重心は左右のカービングエッジ５，６同士の内方に位置させることができ、非常に安定性に秀れることになる。
【００３５】
尚、エッジとしてカービングエッジ５，６としたが、ストレートタイプのエッジにおいても曲がり操作に機能するものであり（但し、カービングエッジ５，６の方が曲がり性能は秀れると考えられる。）、エッジ形状は適宜設計変更し得るものである。
【００３６】
周板部１ｂ，１ｃ，１ｄ，１ｅは、図１〜４に図示したように前周板部１ｂ、左右周板部１ｃ，１ｄ及び後周板部１ｅで構成されており、各板部の上縁には水平部12ａと垂下部12ｂとから成る折り返し部12が屈曲形成されている。
【００３７】
また、周板部を構成する左右周板部１ｃ，１ｄ（ソリ本体１の左右側縁部）には、図１に図示したようにコ字状体から成る握持部７，８が設けられている。
【００３８】
この握持部７，８は、左右周板部１ｃ，１ｄ夫々の折り返し部12に係る水平部12ａの上面部に上方に向けて突設されている。
【００３９】
従って、この握持部７，８がソリ本体１（左右周板部１ｃ，１ｄ）の高い位置にあるから、この握持部７，８を利用して後述する捩れ可動部10を捩れ動させる際、特に押し下げた側の握持部を握る手が雪面Ｓに触れることが無く安全な曲がり操作が可能となる。
【００４０】
本実施例では、握持部７，８として図８に図示したように折り返し部12に係る水平部12ａに形成した貫通孔12ａ’に嵌着する嵌合係止部７ａ，８ａを具備した握持部材７，８で構成された別体構造としたが、図９に図示したようにソリ本体１と一体成形して構成しても良い。
【００４１】
また、本実施例では、前述した握持部７，８を操作することで捩れ動する捩れ可動部10を前記ソリ本体１に設けている。
【００４２】
この捩れ可動部10は、腰掛け部４よりも前方位置にソリ本体１の長さ方向に対する左右方向に捩れ動するように構成されている。
【００４３】
具体的には、本実施例では、ソリ本体１の部位によって巾が異なる形状設定、即ち、ソリ本体１の平面形状が、後方位置よりも前方位置が徐々に巾広となる先太り形状であって、腰掛け部４よりも前方部位が巾広となる形状設定により、ソリ本体１の長さ方向に対する左右方向に捩れ動し易い部位（合成樹脂製故の他の部位より脆弱な部位）を設けて捩れ可動部10を構成している。
【００４４】
この捩れ可動部10がソリ本体１の長さ方向に対する左右方向に捩れ動するとは、図10に図示したように容状体における後方部位Ｐ１（図中斜線を引いた部位）を固定した状態において、容状体における前方部位Ｐ２の左右位置のうちの一方を上方に持ち上げ、他方を下方に押し下げることで、容状体の長さ方向の中心軸が捩れた状態を言う。
【００４５】
つまり、この捩れ可動部10は、図11，12に図示したように、腰掛け部４に腰掛けた滑走者が左右の握持部７，８を交互に上下方向に押引操作（例えば図示したように握持部８を押し下げ、握持部７を持ち上げる操作）した際、ソリ本体１の長さ方向に対する左右方向に捩れ動することになり、この捩れ可動部10が捩れ動した際、左右のカービングエッジ５，６夫々における被滑走面Ｓに対する当接量（荷重を伴う食い込み量）に差が生じて（他方のカービングエッジの荷重が必ずしもゼロになる訳ではない。）、この当接量の多いカービングエッジ６側への曲がり作用が生じることになる。
【００４６】
この捩れ可動部10を設ける方法としては、前述したようにソリ本体１の形状設定による他、肉厚を変えて部位によって強度さを設ける構成や、ソリ本体１を前後に分割し、この前後の部材同志を回動軸で連結した構成などでも可能であるが、本実施例のようにソリ本体１の巾の形状設定による構成は技術的にシンプルであり、実用性ある構成と言える。
【００４７】
本実施例は上述のように構成したから、滑走者は、ソリ本体１の上面部に設けた腰掛け部４に腰掛け、例えば被滑走面Ｓとしての雪面を滑走する。
【００４８】
また、雪面Ｓを滑走中にソリ本体１に設けた捩れ可動部10を捩れ動させると、左右のカービングエッジ５，６夫々における被滑走面Ｓに対する当接量（荷重量）に差が生じ、この当接量（荷重量）の多いカービングエッジ側への曲がり作用が生じることになる。
【００４９】
よって、本実施例によれば、腰掛け部４よりも前方位置のソリ本体１（捩れ可動部10）の捩れ動を利用して曲がり操作を行う構成である為、曲がり操作を行ったとしても、滑走者の重心は大きく傾くことは無いから（左右方向に大きく傾倒しないバランスの取り易い状態が維持されることになるから）、前述した従来例のようなバランスを崩して転倒してしまうことが可及的に防止されることになる。
【００５０】
また、本実施例は、ソリ本体１の部位によって巾が異なる形状設定（ソリ本体１における前記腰掛け部４よりも前方部位が巾広となる形状設定）により前記ソリ本体１の長さ方向に対する左右方向に捩れ動し易い部位を設けて前記捩れ可動部10を構成したから、前述した作用効果を簡易構造で得られることになる。
【００５１】
また、本実施例は、腰掛け部４に腰掛けた滑走者が前記腰掛け部４よりも前方位置にして前記ソリ本体１の左右側縁部を交互に上下方向に押引操作した際、前記ソリ本体１の長さ方向に対する左右方向に捩れ動するように前記捩れ可動部10を構成したから、簡単な操作で左右方向への曲がり操作が行えることになる。
【００５２】
また、本実施例は、ソリ本体１の左右側縁部の上面部に突設した握持部７，８を交互に上下方向に押引操作することで前記捩れ可動部10が捩れ動するように構成したから、滑走中に操作する手を雪面Ｓに触れることが可及的に防止されることになる。
【００５３】
また、本実施例は、ソリ本体１を適宜な合成樹脂製の部材で構成したから、前述した作用効果を簡易構造で得られることになる。
【００５４】
また、本実施例は、腰掛け部４はカービングエッジ５，６同士の間位置に設けられているから、より一層安定した曲がり操作が行えることになる。
【００５５】
尚、本発明は、本実施例に限られるものではなく、各構成要件の具体的構成は適宜設計し得るものである。
【図面の簡単な説明】
【００５６】
【図１】本実施例を示す斜視図である。
【図２】本実施例を示す斜視図である。
【図３】本実施例を示す縦断面図である。
【図４】本実施例を示す底面図である。
【図５】本実施例を示す横断面図である。
【図６】別実施例を示す横断面図である。
【図７】別実施例を示す横断面図である。
【図８】本実施例に係る要部の説明図である。
【図９】別実施例に係る要部の説明図である。
【図１０】本実施例に係る要部の概略動作説明図である。
【図１１】本実施例に係る要部の動作説明図である。
【図１２】本実施例に係る要部の動作説明図である。
【符号の説明】
【００５７】
１  ソリ本体
２  滑走部
４  腰掛け部
５  カービングエッジ
６  カービングエッジ
７  握持部
８  握持部
10  捩れ可動部
【図１】
2008296761.tif 000003
【図２】
2008296761.tif 000004
【図３】
2008296761.tif 000005
【図４】
2008296761.tif 000006
【図５】
2008296761.tif 000007
【図６】
2008296761.tif 000008
【図７】
2008296761.tif 000009
【図８】
2008296761.tif 000010
【図９】
2008296761.tif 000011
【図１０】
2008296761.tif 000012
【図１１】
2008296761.tif 000013
【図１２】
2008296761.tif 000014